(57)【要約】      （修正有）【課題】隙間に指などを挟むアクシデントを防止するベビーカーの挟み防止関節構造を提供する。【解決手段】関節部と、関節カバーと、骨組みを含む。関節部の片側にストッパー、別側に充填部を具有する。関節部の少なくとも一端にアーチ面を具有する関節カバーを接続し、関節カバーの別端を骨組みと固定接続する。関節部のストッパーの縁及び充填部の縁は、関節カバーのアーチ面と隣接する。  【選択図】図３
0003158915.tif 000002
【実用新案登録請求の範囲】
【請求項１】
関節部、関節カバー、骨組みを含み、
該関節部の片側にストッパー、別側に充填部を具有し、
該関節部の少なくとも一端にアーチ面を具有する関節カバーを接続し、
該関節カバーの別端は一つの骨組みと固定接続し、
該骨組みは関節カバーが該関節部と接続することで、該関節部を介して回転することができ、
該関節部のストッパーの縁及び充填部の縁は、該関節カバーのアーチ面と隣接することを特徴とするベビーカーの挟み防止関節構造。
【請求項２】
前記関節カバーは更に関節部と接続する穴を円心とするアーチ型定置槽を設け、該定置槽に止め金を挿入して、該定置槽を該関節部に組み立て、  
該定置槽及び止め金により、該関節カバーを制止し、該関節カバー或いは骨組みが関節部を使って回転する範囲を制限する機能を具有することを特徴とする請求項１記載のベビーカーの挟み防止関節構造。
【考案の詳細な説明】
【技術分野】
【０００１】
本考案は骨組みの関節構造に関し、特にベビーカーの挟み防止の関節構造に関する。
【背景技術】
【０００２】
従来技術のベビーカーは使用しない場合、その体積を小さくするために、折りたためる関節構造を具有し、収納或いは携帯に便利な形状を形成している。しかし、従来技術の折りたたみ関節構造は、図１に示すように、およそ骨組み３に公知構造の関節部９を接続する構成である。該骨組み３が該の関節部９を軸に回転する際、該骨組み３と該関節部９の間に、往々にして大きな隙間９０を形成する。この隙間９０は折りたたむ際にユーザーを挟みやすいだけでなく、ベビーカーがアクシデントで折りたたんでしまう場合、中にいる赤ちゃんを挟んでしまう憂いもあるため、更なる改善が必要であった。
【先行技術文献】
【特許文献】
【０００３】
【特許文献１】特開２００８−１７４００９号公報
【考案の概要】
【考案が解決しようとする課題】
【０００４】
前記従来技術の欠点を解決するため、本考案は折りたたむ関節構造にできる隙間の大きさを改善し、ユーザーが使用する際に、指などを挟むアクシデントを防止するベビーカーの挟み防止関節の構造改良を提供することを主な課題とする。
【課題を解決するための手段】
【０００５】
前記課題を解決するために、本考案はベビーカーの挟み防止関節構造を提供する。ベビーカーの骨組みの間に挟み防止関節を設け、該挟み防止関節は関節部を含み、該関節部の片側にストッパー、別側に充填部を具有する。該関節部の少なくとも一端に一つのアーチ面の関節カバーを具有し、該関節カバーの別端は一つの骨組みと固定接続する。
前記関節部のストッパーの縁と充填部の縁は、前記関節カバーのアーチ面と隣接し、僅かな隙間のみを残している。
【０００６】
ユーザーがベビーカー１を収納或いは展開する際、ユーザーは骨組み３を折り、関節カバー２２と関節部２１の接続箇所を回転軸として回転する。ベビーカー１を折りたたむ或いは展開する際、関節部２１のストッパー２１１及び充填部２１２は関節カバー２２のアーチ面２２０と僅かな隙間のみを残して隣接するため、挟み防止関節２が動く過程では、ユーザーが誤って公知構造のような隙間９０で挟まれて怪我をするアクシデントが起こらない。
【０００７】
本考案は下記の特徴を有する。
（１）関節部、関節カバー、骨組みを含み、
該関節部の片側にストッパー、別側に充填部を具有し、
該関節部の少なくとも一端にアーチ面を具有する関節カバーを接続し、
該関節カバーの別端は一つの骨組みと固定接続し、
該骨組みは関節カバーが該関節部と接続することで、該関節部を介して回転することができ、
該関節部のストッパーの縁及び充填部の縁は、該関節カバーのアーチ面と隣接することを特徴とするベビーカーの挟み防止関節構造。
（２）前記関節カバーは更に関節部と接続する穴を円心とするアーチ型定置槽を設け、該定置槽に止め金を挿入して、該定置槽を該関節部に組み立て、
該定置槽及び止め金により、該関節カバーを制止し、該関節カバー或いは骨組みが関節部を使って回転する範囲を制限する機能を具有することを特徴とする（１）記載のベビーカーの挟み防止関節構造。
【考案の効果】
【０００８】
本考案は挟み防止の関節部を具有し、該関節部の片側にストッパー、別側に充填部を設置し、該関節部の少なくとも一端にアーチ面を具有する関節カバーを接続し、該関節カバーの別端を骨組みと固定接続する。該関節部のストッパーの縁及び充填部の縁は、前記関節カバーのアーチ面と僅かな隙間のみを残して隣接するため、ユーザーがベビーカーを収納或いは展開使用する際、誤って接触して怪我する、或いは使用中に挟まれて怪我をすることがない。
【図面の簡単な説明】
【０００９】
【図１】従来技術における立体外観図である。
【図２】本考案における立体外観図である。
【図３】本考案における動き状態図である。
【図４】本考案における別の動き状態図である。
【図５】本考案にける実施状態図である。
【図６】本考案における別の実施状態図である。
【産業上の利用可能性】
【００１０】
本考案によるベビーカーの挟み防止関節の構造を明確に示すために図に沿って詳細な説明を行う
【００１１】
図２、図３及び図５に示すのは、本考案のベビーカーの挟み防止関節構造である。それに含まれるのはベビーカー骨組み３と、骨組み３の間にある挟み防止関節２である。該挟み防止関節２に関節部２１を含み、該関節部２１の片側にストッパー２１１を、別側に充填部２１２を具有する。該関節部２１は少なくとも片側にアーチ面２２０を具有する関節カバー２２を接続し、該関節カバー２２の別端は骨組み３と固定接続する。該骨組み３は該関節カバー２２を通じて該関節部２１と接続するため、該関節部２１により角度を変えることができる。
【００１２】
前記関節部２１のストッパー２１１の縁と充填部２１２の縁は前記関節カバー２２のアーチ面２２０と隣接し、図３に示すように、関節カバー２２のアーチ面２２０とは僅かな隙間しか開かない。
【００１３】
前記関節カバー２２は更に関節部２１と接続する穴を円心とするアーチ型定置槽２２１を設ける。該定置槽２２１に止め金２１３を挿入し、該定置槽２２１を該関節部２１に組み立てる。該定置槽２２１及び止め金２１３により、該関節カバー２２を制止し、該関節カバー２２或いは骨組み３が関節部２１を使って回転する範囲を制限する機能を具有する。
【００１４】
ユーザーがベビーカー１を収納或いは展開する際、図４に示すように、ユーザーは骨組み３を折り、関節カバー２２と関節部２１の接続箇所を回転軸として回転する。ベビーカー１を折りたたむ或いは展開する場合、関節部２１のストッパー２１１及び充填部２１２は関節カバー２２のアーチ面２２０と僅かな隙間のみを残して隣接するため、挟み防止関節２が動く過程では、図１に示す公知構造の関節部９のように、ユーザーが誤って隙間９０を触って怪我をするアクシデントが起こらない。また、挟み防止関節２の全体外観において、隙間が比較的ない形状であり、挟み防止の安全機能のほかに、更に美観性を備え、図５及び図６に示すように、ベビーカー１全体の造型が美しい。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１  ベビーカー
２  挟み防止関節
２１  関節部
２１１  ストッパー
２１２  充填部
２１３  止め金
２２  関節カバー
２２０  アーチ面
２２１  定置槽
３  骨組み
９  公知構造の関節部
９０  隙間
【図１】
0003158915.tif 000003
【図２】
0003158915.tif 000004
【図３】
0003158915.tif 000005
【図４】
0003158915.tif 000006
【図５】
0003158915.tif 000007
【図６】
0003158915.tif 000008